(57)【要約】      （修正有）【課題】型抜きしたケース用の厚紙を所定の順序に従って組み立てるだけで接続部を糊付けすることなくカレンダー絵柄に対応するタテ型、ヨコ型２種類の紙製壁掛け兼用卓上カレンダーケースを提供する。【解決手段】紙製カレンダーケース１に窓孔を開口した表面部を中心に、左方にスタンド用切り込み６と、第１と第２のフック用切り込みならびにケース背部を結着する半月切り込みを設けた背面部７ａ、右方に表面部と背面部を係合する係止辺１９を備え背面部やスタンド支柱を形成する面を備える。かつ表面部の三方の辺に夫々収容される複数枚のカレンダー紙葉の厚さに対応する幅の二本の折り込み線からなる８Ａ、８Ｂ、８Ｃを側辺部または底辺部として備える。【選択図】図１
0003159505.tif 000002
【実用新案登録請求の範囲】
【請求項１】
１枚の紙を折りたたむことにより形成される表面部の窓孔と裏面部のスタンドと一端の開口部を備える複数枚のカレンダー紙葉を収容するためのタテ型とヨコ型２種類成形の薄箱状のフック付紙製壁掛け兼用卓上カレンダーケースであって、
前記窓孔を開口することで周辺に窓枠の形成された方形の表面部と、該表面部の側方に連接されるスタンド用切り込みと、フック用切り込みを設けた背面部とからなり、前記表面部と前記背面部との連結部を含む三方の辺に収容される前記複数枚のカレンダー紙葉の厚さに対応する幅の平行な二本の折り線からなる左右の側面部と底辺部を備え、前記表面部と前記背面部に設けられる切り抜き紙片を相対する直交部分に差し込むことで固定されることを特徴とするフック付紙製壁掛け兼用卓上カレンダーケース。
【請求項２】
上記背面部の相対向する上下両辺に折り線を介して下辺に係止辺を備え、上記表面部の外側辺に複数枚のカレンダー紙葉の厚さに対応する幅の平行な二本の折り線を介して係止辺の内側に係合される差し込み辺を備えていることを特徴とする請求項１に記載のフック付紙製壁掛け兼用卓上カレンダーケース
【請求項３】
上記表面部の相対向する左右外側辺に複数のカレンダー紙葉の厚さに対向する幅の平行な二本の折線を介して係止辺の内側に係合される差し込み辺を備えていることを特徴とする請求項１に記載のフック付紙製壁掛け兼用卓上カレンダーケース
【請求項４】
上記カレンダーケース内の上辺もしくは右辺に複数枚カレンダー紙葉の出し入れ用開口部と、下辺にこれらカレンダー紙葉の下縁を支える平行な二本の折線からなる底辺部を持ちカレンダー紙葉を開口部からケース内外に出し入れする収納部を形成することを特徴とする請求項１から請求項３に記載のフック付紙製壁掛け兼用卓上カレンダーケース
【請求項５】
上記カレンダーのケース背面部に２ヶ所のフック用切り込みを設けたことを特徴とする請求項１〜４に記載のフック付紙製壁掛け兼用卓上カレンダーケース
【請求項６】
請求項１から請求項４に記載の二本の折線の折り込みによって作成される表面部のカレンダー紙葉を収容する窓枠フレームの４辺にエンボス加工によるカレンダー名など文字表示を点刻したことを特徴とする請求項１から請求項５に記載のフック付紙製壁掛け兼用卓上カレンダーケース
【考案の詳細な説明】
【技術分野】
【０００１】  本考案は複数枚からなる月別カレンダー紙葉を表面部に窓孔と背面部にスタンドを備える薄箱状のケース内に収容して、月毎にカレンダー紙葉を差し替えて使用する紙製卓上カレンダーケースに関するものである。
【背景技術】
【０００２】  従来からこの種のカレンダーケースとしては透明の塩化ビニール等の合成樹脂や紙を素材として成形された上端に開口部を有し背面に折り畳み式のスタンドを備える薄箱状のケースが広く知られている。
【先行技術文献】
【特許文献】
【０００３】
【特許文献１】実用新案登録第３０６３５４１号公報
【考案の概要】
【考案が解決すべき課題】
【０００４】  塩化ビニール等化学製品を素材としたカレンダーケースは１年間使用された後カレンダー紙葉と共に廃棄される際合成樹脂製の難燃物となり焼却処分時に高熱や有害物質を発生させ地球温暖化の原因ともなる。焼却処理抑制が求められる。また従来のカレンダーケース成形ではタテ型、ヨコ型夫々の種類毎に違った型の原紙を夫々の組み立て方を用い夫々に原料、労力を要し数量的ロスも発生した
【課題を解決するための手段】
【０００５】本考案は、１枚の紙を折りたたむことにより形成される表面部の窓孔と裏面部のスタンドと一端の開口部を備える複数枚のカレンダー紙葉を収容するためのタテ型とヨコ型２種類成形の薄箱状のフック付紙製壁掛け兼用卓上カレンダーケースであって、窓孔を開口することで周辺に窓枠の形成された方形の表面部と、該表面部の側方に連接されるスタンド用切り込みと、フック用切り込みを設けた背面部とからなり、表面部と背面部との連結部を含む三方の辺に収容される複数枚のカレンダー紙葉の厚さに対応する幅の平行な二本の折り線からなる左右の側面部と底辺部を備え、表面部と背面部に設けられる切り抜き紙片を相対する直交部分に差し込むことで固定されることを特徴とする紙製卓上カレンダーケースで、更に、背面部の相対向する上下両辺に折り線を介して下辺に係止辺を備え、表面部の外側辺に複数枚のカレンダー紙葉の厚さに対応する幅の平行な二本の折り線を介して係止辺の内側に係合される差し込み辺を設けた。また、表面部の相対向する左右外側辺に複数のカレンダー紙葉の厚さに対向する幅の平行な二本の折線を介して係止辺の内側に係合される差し込み辺を設けた。ケース内の上辺（ヨコ型にあっては右辺）に複数枚カレンダー紙葉の出し入れ用開口部と下辺にこれらカレンダー紙葉の下縁を支える平行な二本の折線からなる底辺部を持ちカレンダー紙葉を上方開口部（ヨコ型では右方開口部）からケース内外に出し入れできるように収納する紙製卓上カレンダーケースである。加えて、１枚の独自に型抜きしたカレンダーケースの厚紙を折線に沿って独自の折り方によってカレンダー絵柄のタテ描き、ヨコ描きに合わせてカレンダー紙葉を収容するタテ型ケース、ヨコ型ケースのいずれも形成できる型紙仕様と組み立て方で成形することを特徴とする紙製卓上カレンダーケースである。また、型紙にはケース背面部に２ヶ所のフック用切り込みがあり、タテ型、ヨコ型両タイプとも、背面部フック切り込み部分を抜き出し、スタンド係止め部を折りたたんで表面部、背面部を重ね合わせて端平化するフック付き紙製壁掛けカレンダーケースにもできる。また、タテ型ケースの背面部を重ね合わせて形成する型紙ケース背面部と、背面部若しくは底辺部支柱の左上コーナーには相対向する位置に半月状の切り込みがあり、相互に咬み合わせて密着した背面部スタンドを形成することを特徴とする紙製卓上タテ型カレンダーケースにもなる。また、二本の折線の折り込みによって作成される表面部のカレンダー紙葉を収容する窓枠フレームの４辺にエンボス加工によるカレンダー名など文字表示を点刻した紙製卓上カレンダーケースである。本考案では素材に有害物質や高熱を発しない紙を使い、所定の形状に型抜きした厚紙を一定の順序で組み立ててカレンダー紙葉を出し入れする開口部と収容部を持つカレンダーケースを形成する。
しかも１種類の型抜き原紙から違った折り方、組み立て方をすることでタテ型、ヨコ型２種類の卓上カレンダーケースをロスなく、効率的に安価に製造するものである
【０００６】  型抜きにはフック用切り抜きも設け成形したケース背面部から抜き出して壁などにフック掛けすれば卓上変じて壁掛け型カレンダーケースとして使用もできるようにした。
又、表面部の窓孔枠４辺にはエンボス加工による文字表示により他と差別化出来る。
【考案の効果】
【０００７】  本考案に係る卓上カレンダーケースは１枚の紙を打ち抜き加工しこれを所定の方式で折り曲げて行くだけで簡単に組み立てることで形成される化学物質や金属部材も使わないので安全、安価に能率的に製造出来る。焼却時の環境汚染もない。
【０００８】  従来は形状毎に違った型抜原紙を成型し製作した為、多種類の型抜き原紙を要し、材料も労力も分散され数量的ロスも発生したが、本考案によるカレンダーケースの型抜き原紙は１種類でこれをタテ型タイプ用、ヨコ型タイプ用の折り方、組み立て方で異なる２種類のカレンダーケースを形成出来るのが優れて特徴的である。組み立て方も容易で材料や労力など効率的で安価である。
【０００９】  本考案には従来の卓上カレンダーケースにはない表面部窓孔枠の４辺面積を活用してエンボス加工文字表示やケース背面部から壁掛け用フックを抜き出して卓上カレンダーと壁掛けカレンダーとして両用使用も可能な仕様は他に類を見ないものである。
【図面の簡単な説明】
【００１０】
【図１】本考案に係る型抜き台紙の紙製卓上カレンダーケースの展開図
【図２】図１に図示のケース組み立て完成姿図（図２ａ：タテ型表面、図２ｂ：タテ型背面、図２ｃ：ヨコ型表面、図２ｄ：ヨコ型背面）
【図３】組み立てたケースにカレンダー紙葉を挿入した斜視図（図３ａ：タテ型、図３ｂ：ヨコ型）
【図４】カレンダー紙葉を示す説明図（図４ａ：タテ型、図４ｂ：ヨコ型）
【考案を実施するための形態】
【００１１】  本考案に係る紙製卓上カレンダーの構成を図１〜４によって実施例を以下説明する。
【実施例】
【００１２】  図１に図示の１枚の独自に型抜きしたカレンダーケースの厚紙を折り線にそって独自の折り方によってカレンダー絵柄のタテ描きと、ヨコ描きに合わせて夫々カレンダー紙葉を挿入する図２ａと、図２ｂに図示のタテ型ケースと、図２ｃと、図２ｄに図示のヨコ型ケースのいずれも形成できる型紙仕様と組み立て方で成形することを特徴とする紙製卓上カレンダーである。【００１３】図１に図示する如く型抜き原紙は、ケース背面部３と、ケース窓孔４を開口したケース表面部２の下方に半月型切り込み（ヨコ型タイプのカレンダー紙葉出し入れ用の指穴）と三角形切り込み（タテ型タイプスタンドにおける受け止め）があり、ケース表面部２の下方面の中央に折線５Ｃを持ちケース表面部２と同サイズの面５、ケース窓孔４をもつケース表面部２の左側方にスタンド用切り込み６、第１のフック用切り込み１３−１と第２のフック用切り込み１３−２、右側方の面背面部７ａ（タテ型）、底辺部支柱７ｂ（ヨコ型）の第２の接着用半月切り込み２１と、第１の接着する接着用半月切り込み９の半月切り込みを設けたケース背面部３、さらにケース表面部２の右側方に係止辺１９を持つ面背面部７ａ（タテ型）、底辺部支柱７ｂ（ヨコ型）の７を連接した。【００１４】図２に図示する如くタテ型タイプ卓上カレンダーケースの形成方法は先ず、窓孔４に隣接するケース背面部３と下方面５と右方側面７ａの三面の折り込み線８Ａ、８Ｂ、８Ｃを折り込んで三方から巾４ｍｍのカレンダー紙葉収容フレームａ〜ｄを形成した。次にケース背面部３面を窓孔のあるケース表面部２の背後に右折りして背面部としこれに重ねて背面部７ａを左折りして第２の接着用半月切り込み２１の半月切り込みをケース背面部３面の第１の接着用半月切り込み９に折り込んでケース背面部３と、背面部７ａ面を密着固定した。さらにケース下方面５の中央折り線Ｃを内側に折り込んで底辺部５ａ、背面支柱５ｂを形成し、ケース背面の底辺部５ａ、背面支柱５ｂの中央の三角形切り込み１０に背面部７ａの係止辺１９を折り立てて咬み込ませ、背面部と底辺部を固定し、ケース背面７ａと底辺部５ａ、背面支柱５ｂがスタンドとして表面部を支える。図４に図示するカレンダー紙葉は、図３に図示する如く窓孔上方開口部より左、右、下辺の三方各４ｍｍ巾のフレーム（ｂ、ｃ、ｄ）で成形される収容部に出し入れするものである。【００１５】  ヨコ型タイプ卓上カレンダーケースの形成方法は先ずケース下方面５を窓孔開口のケース表面部２面の背後に上へ折り合わせて背面内部とし、タテ型方形の左側辺（フレームｂ）を上方辺に、右側辺（フレームｃ）を底辺とする９０度右転回した形で成形するものである。次にケース背面部３面をケース背面内部５ａ、５ｂ面の外側に折り込んで背面外部とするが同時に７面をケース背面内部と背面部３の間に折り立たせケース背面部３面のスタンド用切り込み口６に背面部底辺部支柱７面の係止辺１９を差し込んでケース背面部３面の左辺と底辺部支柱７ｂ面のフレーム部分ｃが背面部と表面部の脚としてケースを支える形となる。
カレンダー紙葉はタテ型フレーム上方が右転回するので右方開口部から出し入れし、挿入はフレームｂ、ｃ、ｄ三方の折り込み巾のなかに可能となる。【００１６】  タテ型、ヨコ型いずれのカレンダーケースにも窓孔周辺の４辺フレーム表面に原紙型抜き時にエンボス加工処理によりカレンダー名など文字打刻を施すことが出来る仕様である。【００１７】  型抜き原紙にはフックとして使用する目的でケース背面部となるケース背面部３の面に第１のフック用切り込み１３−１と、第２のフック用切り込み１３−２の切り抜きを施し、背面部から引き出して壁などフック掛けを行えば卓上カレンダーを壁掛けカレンダーとしても使用できることは言うまでもない。
【産業上の利用可能性】
【００１８】  本考案は、卓上カレンダーケースのならず、壁掛カレンダーケースにも適用出来る。
【符号の説明】
【００１９】１：カレンダーケース
２：ケース表面部
３：ケース背面部
４：ケース窓孔
５：下方面
５ａ：ケース背面内部（ヨコ型）と底辺部
５ｂ：背面支柱
５ｃ：中央折り線
６：スタンド用切り込み
７ａ：背面部（タテ型）
７ｂ：底辺部支柱（ヨコ型）
８Ａ、８Ｂ、８Ｃ：カレンダー収容辺（薄箱３辺）
９：第１の接着用半月切り込み
１０：係止辺の受け口切り込み
１１：ケース上辺開口部（ヨコ型では右方開口部）
１２：差し込み辺
１３−１：第１のフック用切り込み
１３−２：第２のフック用切り込み
１４：ヨコ型カレンダー紙葉出し入れ用の指穴
１９：係止辺
２０：背面部（タテ型）と底辺部の係止め切り抜き
２１：第２の接着用半月切り込み
ａ〜ｄ：フレーム
【図１】
0003159505.tif 000003
【図２】
0003159505.tif 000004
【図３】
0003159505.tif 000005
【図４】
0003159505.tif 000006
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
１枚の紙を折りたたむことにより形成される表面部の窓孔と裏面部のスタンドと一端の開口部を備える複数枚のカレンダー紙葉を収容するためのタテ型とヨコ型２種類成形の薄箱状のフック付紙製壁掛け兼用卓上カレンダーケースであって、前記窓孔を開口することで周辺に窓枠の形成された方形の表面部と、該表面部の側方に連接されるスタンド用切り込みと、フック用切り込みを設けた背面部とからなり、前記表面部と前記背面部との連結部を含む三方の辺に収容される前記複数枚のカレンダー紙葉の厚さに対応する幅の平行な二本の折り線からなる左右の側面部と底辺部を備え、前記表面部と前記背面部に設けられる切り抜き紙片を相対する直交部分に差し込むことで固定されることを特徴とするフック付紙製壁掛け兼用卓上カレンダーケース。
【請求項２】
上記背面部の相対向する上下両辺に折り線を介して下辺に係止辺を備え、上記表面部の外側辺に複数枚のカレンダー紙葉の厚さに対応する幅の平行な二本の折り線を介して係止辺の内側に係合される差し込み辺を備えていることを特徴とする請求項１に記載のフック付紙製壁掛け兼用卓上カレンダーケース
【請求項３】
上記表面部の相対向する左右外側辺に複数のカレンダー紙葉の厚さに対向する幅の平行な二本の折線を介して係止辺の内側に係合される差し込み辺を備えていることを特徴とする請求項１に記載のフック付紙製壁掛け兼用卓上カレンダーケース
【請求項４】
上記カレンダーケース内の上辺もしくは右辺に複数枚カレンダー紙葉の出し入れ用開口部と、下辺にこれらカレンダー紙葉の下縁を支える平行な二本の折線からなる底辺部を持ちカレンダー紙葉を開口部からケース内外に出し入れする収納部を形成することを特徴とする請求項１〜３のいずれか１項に記載のフック付紙製壁掛け兼用卓上カレンダーケース
【請求項５】
上記カレンダーのケース背面部に２ヶ所のフック用切れ込みを設けたことを特徴とする請求項１〜４のいずれか１項に記載のフック付紙製壁掛け兼用卓上カレンダーケース
【請求項６】
上記二本の折り線の折り込みによって形成される表面部のカレンダー紙葉を収容する窓枠フレームの４辺にエンボス加工によるカレンダー名など文字表示を点刻したことを特徴とする請求項１〜５のいずれか１項に記載のフック付紙製壁掛け兼用卓上カレンダーケース